(57)【要約】【課題】  本発明は、電源投入において「電源投入＝撮影状態」となり、撮像装置の姿勢の変更のみで撮影と再生の切り替えが可能となり、撮像装置の姿勢によりモードを割り当てることでボタンの数を減らすことが可能となる撮像装置を提供することを目的とする。【解決手段】  撮像装置が上下逆さの姿勢のとき、再生・通信等撮影モードと異なる動作モードを割り当てる。通常電源投入時は撮影モードとする。また、下（地面）撮影姿勢でシャッターボタンに指がかかっていなければ再生モードを割り当てる。【選択図】        図１
2006093814.tif 000002
【特許請求の範囲】
【請求項１】
被写体の像を結像させる光学系と、入射した像を光電変換する固体撮像素子と、アナログ信号処理回路と、デジタル信号処理回路と、デジタル信号処理回路にて生成した画像を保存する記憶手段と、画像や設定を表示する表示手段と、撮影者が設定可能な入力操作手段と、撮像装置の姿勢を検出する姿勢検出手段を備えた撮像装置であって、検出された姿勢により異なる動作状態を割り当てることを特徴とする撮像装置。
【請求項２】
請求項１に記載の撮像装置において、正面撮影姿勢時とそれ以外の姿勢で異なる動作を割り当てることを特徴とする撮像装置。
【請求項３】
請求項１に記載の撮像装置において、上下逆さ姿勢時とそれ以外の姿勢で異なる動作を割り当てることを特徴とする撮像装置。
【請求項４】
請求項１または３に記載の撮像装置において、通常姿勢では撮影状態であり、上下逆さの姿勢では再生状態とすることを特徴とする撮像装置。
【請求項５】
請求項１または３に記載の撮像装置において、通常姿勢では撮影状態であり、上下逆さの姿勢では通信状態とすることを特徴とする撮像装置。
【請求項６】
請求項１に記載の撮像装置において、撮影ボタン（シャッターボタン）に指を置いていなければ再生状態とすることを特徴とする撮像装置。
【請求項７】
請求項６に記載の撮像装置において、下方つまり地面を向いている姿勢のとき、撮影ボタン（シャッターボタン）に指を置いていなければ再生状態とすることを特徴とする撮像装置。
【発明の詳細な説明】
【技術分野】
【０００１】
本発明は、撮像装置に関するものである。
【背景技術】
【０００２】
図２は従来例の固体撮像素子を用いたデジタルスチルカメラの撮像信号処理系と撮影・再生動作制御系の構成を示すブロック図である。
【０００３】
図中１は光学系である。１の光学系は、被写体を像面に結像するためのレンズ、像面光量を制御するための絞り、レンズからの光の像面への入射を必要時間のみ照射するためのメカニカルシャッター等で構成される。２は結像された光の像を電気的な信号に変換するための固体撮像素子、３はアナログ信号処理回路である。３のアナログ信号処理回路は、アナログ信号を基準の電位にクランプするクランプ回路、ゲインをコントロールするＡＧＣ回路、アナログ信号をデジタル信号に変換するＡＤ変換回路等で構成される。４はデジタル信号に変換された入力信号を画像処理するデジタル信号処理回路、５はデジタル信号処理回路で画像処理する際等に一時的に使用する内部記憶装置、６はデジタル信号処理回路により生成された画像を格納する外部記憶装置、７はデジタル信号処理回路により生成された画像を表示、あるいは撮像装置の設定・情報等を表示する表示手段である。
【０００４】
８は１−７を制御するＣＰＵ／制御回路、９はユーザーがカメラ動作を設定・指示するための入力操作手段である。
【０００５】
図３はデジタルスチルカメラの電源投入と撮影・再生モードの切り替えに関わる入力操作手段を示す図である。図３（ａ）は中心位置が電源ＯＦＦの状態であるスイッチの例である。撮影（ＲＥＣ）時は左側にスイッチを倒し、再生（ＰＬＡＹ）時には右側にスイッチを倒すことにより電源を投入する。（ｂ）はダイヤルスイッチの例である。撮影時は１クリック分回し、再生時はさらに１クリック分（計２クリック）回すことにより再生モードとして電源投入をする。また、（ｃ）は（ａ）、（ｂ）と異なりカメラ電源と撮影・再生モードの入力手段が独立している例である。図左のＲＥＣ−ＰＬＡＹスライドスイッチを左にした状態でＰＯＷＥＲスイッチを押すことにより撮影状態での電源投入となり、スライドスイッチを右にした状態でＰＯＷＥＲスイッチを押すと再生状態での電源投入となる。
【特許文献１】特開平２−９６９７９号公報
【発明の開示】
【発明が解決しようとする課題】
【０００６】
以上、従来例として示した入力操作手段において主に以下の３つの課題がある。
【０００７】
まず１つ目は、電源投入において「電源投入＝撮影状態」とならないことである。これは撮影者が、撮影状態にしたのち電源投入しなければならないという注意が必要となる。
【０００８】
２つ目に、撮影と再生の２つの操作のみの存在であってもボタンが複数存在したり、手順を必要としたりと操作がわかりずらいという難点がある。
【０００９】
３つ目として、複数のボタンが存在することにより撮像装置の限られた表面積において入力操作手段の占める割合が増え、撮像装置自体の小型化に支障があったり、撮影者が使用しにくい等の無理な入力操作手段の配置を強いられることが挙げられる。
【００１０】
本発明は、以上の点に着目して成されたもので、電源投入において「電源投入＝撮影状態」となり、撮像装置の姿勢の変更のみで撮影と再生の切り替えが可能となり、撮像装置の姿勢によりモードを割り当てることでボタンの数を減らすことが可能となる撮像装置を提供することを目的とする。
【課題を解決するための手段】
【００１１】
この発明は下記の構成を備えることにより上記課題を解決できるものである。
【００１２】
被写体の像を結像させる光学系と、入射した像を光電変換する固体撮像素子と、アナログ信号処理回路と、デジタル信号処理回路と、デジタル信号処理回路にて生成した画像を保存する記憶手段と、画像や設定を表示する表示手段と、撮影者が設定可能な入力操作手段と、撮像装置の姿勢を検出する姿勢検出手段を備えた撮像装置であって、検出された姿勢により異なる動作状態を割り当てることを特徴とする撮像装置によって達成される。
【００１３】
被写体の像を結像させる光学系と、入射した像を光電変換する固体撮像素子と、アナログ信号処理回路と、デジタル信号処理回路と、デジタル信号処理回路にて生成した画像を保存する記憶手段と、画像や設定を表示する表示手段と、撮影者が設定可能な入力操作手段と、撮像装置の姿勢を検出する姿勢検出手段を備えた撮像装置であって、検出された姿勢により異なる動作状態を割り当てることを特徴とする撮像装置において、正面撮影姿勢時とそれ以外の姿勢で異なる動作を割り当てることを特徴とする撮像装置によって達成される。
【００１４】
被写体の像を結像させる光学系と、入射した像を光電変換する固体撮像素子と、アナログ信号処理回路と、デジタル信号処理回路と、デジタル信号処理回路にて生成した画像を保存する記憶手段と、画像や設定を表示する表示手段と、撮影者が設定可能な入力操作手段と、撮像装置の姿勢を検出する姿勢検出手段を備えた撮像装置であって、検出された姿勢により異なる動作状態を割り当てることを特徴とする撮像装置において、上下逆さ姿勢時とそれ以外の姿勢で異なる動作を割り当てることを特徴とする撮像装置によって達成される。
【００１５】
被写体の像を結像させる光学系と、入射した像を光電変換する固体撮像素子と、アナログ信号処理回路と、デジタル信号処理回路と、デジタル信号処理回路にて生成した画像を保存する記憶手段と、画像や設定を表示する表示手段と、撮影者が設定可能な入力操作手段と、撮像装置の姿勢を検出する姿勢検出手段を備えた撮像装置であって、検出された姿勢により異なる動作状態を割り当てることを特徴とする撮像装置において、上下逆さ姿勢時とそれ以外の姿勢で異なる動作を割り当てることを特徴とする撮像装置において、通常姿勢では撮影状態であり、上下逆さの姿勢では再生状態とすることを特徴とする撮像装置によって達成される。
【００１６】
被写体の像を結像させる光学系と、入射した像を光電変換する固体撮像素子と、アナログ信号処理回路と、デジタル信号処理回路と、デジタル信号処理回路にて生成した画像を保存する記憶手段と、画像や設定を表示する表示手段と、撮影者が設定可能な入力操作手段と、撮像装置の姿勢を検出する姿勢検出手段を備えた撮像装置であって、検出された姿勢により異なる動作状態を割り当てることを特徴とする撮像装置において、上下逆さ姿勢時とそれ以外の姿勢で異なる動作を割り当てることを特徴とする撮像装置において、通常姿勢では撮影状態であり、上下逆さの姿勢では通信状態とすることを特徴とする撮像装置によって達成される。
【００１７】
被写体の像を結像させる光学系と、入射した像を光電変換する固体撮像素子と、アナログ信号処理回路と、デジタル信号処理回路と、デジタル信号処理回路にて生成した画像を保存する記憶手段と、画像や設定を表示する表示手段と、撮影者が設定可能な入力操作手段と、撮像装置の姿勢を検出する姿勢検出手段を備えた撮像装置であって、検出された姿勢により異なる動作状態を割り当てることを特徴とする撮像装置において、撮影ボタン（シャッターボタン）に指を置いていなければ再生状態とすることを特徴とする撮像装置によって達成される。
【００１８】
被写体の像を結像させる光学系と、入射した像を光電変換する固体撮像素子と、アナログ信号処理回路と、デジタル信号処理回路と、デジタル信号処理回路にて生成した画像を保存する記憶手段と、画像や設定を表示する表示手段と、撮影者が設定可能な入力操作手段と、撮像装置の姿勢を検出する姿勢検出手段を備えた撮像装置であって、検出された姿勢により異なる動作状態を割り当てることを特徴とする撮像装置において、下方つまり地面を向いている姿勢のとき、撮影ボタン（シャッターボタン）に指を置いていなければ再生状態とすることを特徴とする撮像装置によって達成される。
【発明の効果】
【００１９】
従来例として示した入力操作手段において主に以下の３つの課題がある。
【００２０】
まず１つ目は、電源投入において「電源投入＝撮影状態」とならないことである。これは撮影者が、撮影状態にしたのち電源投入しなければならないという注意が必要となる。
【００２１】
２つ目に、撮影と再生の２つの操作のみの存在であってもボタンが複数存在したり、手順を必要としたりと操作がわかりずらいという難点がある。
【００２２】
３つ目として、複数のボタンが存在することにより撮像装置の限られた表面積において入力操作手段の占める割合が増え、撮像装置自体の小型化に支障があったり、撮影者が使用しにくい等の無理な入力操作手段の配置を強いられることが挙げられる。
【００２３】
以上、実施例として示す入力操作手段において主に以下の３つの効果がある。まず１つ目は、電源投入において「電源投入＝撮影状態」が可能となる。これは特定の撮像装置の姿勢のみを再生モードとして割り当てるため、通常状態での電源投入はすべて撮影状態となる。２つ目に、撮像装置の姿勢の変更のみという極めて単純な動作のみで撮影と再生の切り替えが可能となる。３つ目として、従来ボタン操作にて行っていたモード変更を撮像装置の姿勢によりモードを割り当てることによりボタンの数を減らすことが可能となる。これは撮像装置の小型化に貢献するものである。
【発明を実施するための最良の形態】
【００２４】
以下本発明を実施するための最良の形態を、実施例により詳しく説明する。
【実施例】
【００２５】
図１は本発明における撮像装置の構成を示すブロック図である。
【００２６】
また、図４は本発明において達成することが可能な固体撮像装置の入力操作手段の例である。
【００２７】
［第一の実施例］
通常撮影する際には正位置（正面）、上向き、下向き、縦位置等の姿勢があり、シャッターボタンが上部にある撮像装置において上下逆さの姿勢で撮影することはありえない。そこで本発明では撮像装置の上下逆さの姿勢を撮影モード以外のモードに割り当てた。
【００２８】
図５が本実施例を説明する図である。図５（ａ）は通常撮影時（特に正位置を示す）を示す図であり、電源投入で即撮影モードとなる。尚、本図では表示手段に「ＲＥＣ」と表示することにより撮影モードであることを撮影者に知らせているが、これが別途存在するランプであってもよい。
【００２９】
次に、図５（ｂ）は撮像装置を上下逆さにすることにより再生モードであることを示す図である。
【００３０】
また、図示していないが無線等で他の機器と通信をすることが可能である場合、撮像装置の上下逆さの姿勢を図５（ｃ）のようにパソコンとの通信、図５（ｄ）のプリンタとの通信としてもよい。
【００３１】
［第二の実施例］
シャッターボタンに指があるかないかを検出可能であれば、第一の実施例のような上下逆さの姿勢以外でも別モードを割り当てることが可能である。
【００３２】
シャッターボタンに指があるかの検出は、圧力センサ、指紋センサ、温度センサ等を使用することにより可能となる。
【００３３】
図６は本実施例を説明する図である。図６（ａ）はシャッターボタンに指を置いているので撮影モード、図６（ｂ）は指を置いていないので再生モードとなる。
【００３４】
以上、第一、第二の実施例を示したが、撮影者が想定し得ない撮影操作をする可能性があるため、別途上下逆さでの再生等を許可するかを撮影者が設定できることが好ましい。
【００３５】
また、リモコン撮影やタイマー撮影等の直接撮像装置に触れずにシャッターをきる場合もあるので、それらの撮影モードでは下（地面）向き姿勢でシャッターボタンに指がかかっていなくても撮影モードとする、もしくはモードの変更を行わないなどの対策が必要となる。
【図面の簡単な説明】
【００３６】
【図１】本発明の撮像装置の構成を示すブロック図
【図２】従来の撮像装置の構成を示すブロック図
【図３】従来の電源投入と撮影モードに関わる入力操作手段の例を示す図
【図４】本発明における撮像装置の入力操作手段の例を示す図
【図５】本発明における上下逆さ姿勢の説明図
【図６】本発明における下（地面）向き姿勢の説明図
【符号の説明】
【００３７】
１    光学系
２    固体撮像素子
３    アナログ信号処理回路
４    デジタル信号処理回路
５    内部記憶装置
６    外部記憶装置
７    表示手段
８    ＣＰＵ／制御回路
９    入力操作手段
１０  姿勢検出手段
【図１】
2006093814.tif 000003
【図２】
2006093814.tif 000004
【図３】
2006093814.tif 000005
【図４】
2006093814.tif 000006
【図５】
2006093814.tif 000007
【図６】
2006093814.tif 000008